(57)【要約】【課題】  伝票への印刷サービスを実現するためのシンボル画像を容易に生成可能なシンボル画像生成装置等を提供することを目的とする。【解決手段】  宅配伝票Ｐの各項目に記載するための複数の記載事項をコード化したシンボル画像Ｂを生成する携帯電話５０において、項目別に、記載事項を取得するコンテンツ取得手段５２０と、取得した記載事項に、項目毎に異なる識別子を付加する識別子付加手段５３０と、取得した記載事項を、識別子と共にコード化して、シンボル画像Ｂを生成するシンボル画像生成手段５４０と、を備えたものである。【選択図】  図２
2006227685.tif 000002
【特許請求の範囲】
【請求項１】
伝票の各項目に記載するための複数の記載事項をコード化したシンボル画像を生成するシンボル画像生成装置において、
前記項目別に、前記記載事項を取得するコンテンツ取得手段と、
取得した前記記載事項に、前記項目毎に異なる識別子を付加する識別子付加手段と、
取得した前記記載事項を、前記識別子と共にコード化して、前記シンボル画像を生成するシンボル画像生成手段と、を備えたことを特徴とするシンボル画像生成装置。
【請求項２】
生成した前記シンボル画像を表示する表示画面をさらに備えていることを特徴とする請求項１に記載のシンボル画像生成装置。
【請求項３】
生成した前記シンボル画像を、印刷媒体上に印刷するための印刷データを生成する印刷データ生成手段をさらに備えていることを特徴とする請求項１または２に記載のシンボル画像生成装置。
【請求項４】
前記伝票は、宅配物に貼付して用いる宅配伝票であり、
前記コンテンツ取得手段は、少なくとも前記宅配物の配送先および／または配送元の、住所、氏名および電話番号の各項目への記載事項を取得することを特徴とする請求項１、２または３に記載のシンボル画像生成装置。
【請求項５】
レコード毎に、住所、氏名および電話番号を関連づけて記憶する住所録データベースをさらに備え、
前記コンテンツ取得手段は、前記住所録データベースの中から任意のレコードが指定されることによって、前記配送先および／または配送元の住所、氏名および電話番号を取得することを特徴とする請求項４に記載のシンボル画像生成装置。
【請求項６】
前記コンテンツ取得手段は、前記配送先別に、前記宅配物の内容または品名に関する項目への記載事項を取得可能であることを特徴とする請求項５に記載のシンボル画像生成装置。
【請求項７】
前記配送先別に取得した前記宅配物の内容または品名の履歴である配送履歴を記憶する配送履歴記憶手段をさらに備え、
前記表示画面は、前記配送履歴を表示することを特徴とする請求項６に記載のシンボル画像生成装置。
【請求項８】
請求項１ないし７のいずれか１項に記載のシンボル画像生成装置として機能することを特徴とする携帯型情報処理装置。
【請求項９】
請求項２ないし７のいずれか１項に記載のシンボル画像生成装置と、
前記表示画面に表示、若しくは前記印刷媒体上に印刷された前記シンボル画像を読み取る読み取り手段と、
前記読み取り手段による読み取り結果をデコードするデコード手段と、
前記デコード手段によるデコード結果に含まれる前記識別子を解読する解読手段と、
前記解読手段の解読結果と、所定の伝票書式とに基づいて、前記デコード結果に含まれる各記載事項を前記伝票の各所定位置に印刷するための伝票印刷データを生成する伝票印刷データ生成手段と、
前記伝票印刷データを前記伝票上に印刷する印刷手段と、を備えたことを特徴とする印刷システム。
【請求項１０】
伝票の各項目に記載するための複数の記載事項をコード化したシンボル画像の生成方法であって、
前記項目別に、前記記載事項を取得するステップと、
取得した前記記載事項に、前記項目毎に異なる識別子を付加するステップと、
取得した前記記載事項を、前記識別子と共にコード化して、前記シンボル画像を生成するステップと、を実行することを特徴とするシンボル画像の生成方法。
【請求項１１】
生成した前記シンボル画像を表示するステップをさらに実行することを特徴とする請求項１０に記載のシンボル画像の生成方法。
【請求項１２】
生成した前記シンボル画像を、印刷媒体上に印刷するための印刷データを生成するステップをさらに実行することを特徴とする請求項１０または１１に記載のシンボル画像の生成方法。
【請求項１３】
前記伝票は、宅配物に貼付して用いる宅配伝票であり、
前記記載事項を取得するステップでは、少なくとも前記宅配物の配送先および／または配送元の、住所、氏名および電話番号の各項目への記載事項を取得することを特徴とする請求項１０、１１または１２に記載のシンボル画像の生成方法。
【請求項１４】
前記記載事項を取得するステップでは、レコード毎に、住所、氏名および電話番号を関連づけて記憶する住所録データベースの中から任意のレコードが指定されることによって、前記配送先および／または配送元の住所、氏名、電話番号を取得することを特徴とする請求項１３に記載のシンボル画像の生成方法。
【請求項１５】
前記記載事項を取得するステップでは、前記配送先別に、前記宅配物の内容または品名に関する項目への記載事項を取得することを特徴とする請求項１４に記載のシンボル画像の生成方法。
【請求項１６】
前記配送先別に取得した前記宅配物の内容または品名の履歴である配送履歴を記憶するステップと、
前記配送履歴を表示するステップと、をさらに実行することを特徴とする請求項１５に記載のシンボル画像の生成方法。
【請求項１７】
コンピュータに、請求項１０ないし１６のいずれか１項に記載のシンボル画像の生成方法における各ステップを実行させるためのプログラム。
【発明の詳細な説明】
【技術分野】
【０００１】
本発明は、取得したコンテンツをコード化して、シンボル画像を生成するシンボル画像生成装置、携帯型情報処理装置、印刷システム、シンボル画像の生成方法およびプログラムに関するものである。
【背景技術】
【０００２】
手書きによる記載を必要とする伝票用紙は多数存在するが、例えば、宅配物の配送を依頼する場合、利用者は、コンビニエンス・ストアや宅配会社の営業所に宅配物を直接持ち込んだり、電話やインターネットで自宅への集荷を依頼したりして（例えば、特許文献１参照）、宅配物に貼付する宅配伝票用紙に、手書きによる記載を行う。
【特許文献１】特開平１０−２４５０９４号公報（第２−３頁、第２図）
【発明の開示】
【発明が解決しようとする課題】
【０００３】
例えば前者の場合、利用者は、宅配物を持ち込んだ先で宅配伝票用紙を受け取り、利用者の住所・氏名・電話番号、並びに配送先の住所・氏名・電話番号、その他、配送指定時日時、品名等の必要事項を住所録やメモなど見ながら記入しなければならず、配送先が複数の場合は、その配送先の数だけ宅配伝票用紙への記入が必要となる。このため、宅配伝票用紙の記入に時間がかかるといった問題があった。
【０００４】
そこで、利用者の住所や氏名をコード化した２次元コード（シンボル画像）をイメージリーダで読み取り、その読み取ったデータをデコードして、宅配伝票用紙の所定位置に印刷するという宅配伝票印刷システムが提案されている。ところが、利用者がこの宅配伝票印刷システムを利用しようとする場合、当該システムにおいて、デコードしたテキストデータが何を示すデータであるのかを識別するための識別子を、「住所」や「氏名」のテキストデータに付加する必要があり、２次元コードの生成が面倒であった。また、２次元コードに識別子が含まれていない場合は、「住所」や「氏名」など、項目毎に２次元コードを生成してイメージリーダに読み取らせる必要があり、読み取り処理に時間がかかるといった問題があった。
【０００５】
本発明は、上記の問題点に鑑み、伝票への印刷サービスを実現するためのシンボル画像を容易に生成可能なシンボル画像生成装置、携帯型情報処理装置、印刷システム、シンボル画像の生成方法およびプログラムを提供することを目的とする。
【課題を解決するための手段】
【０００６】
本発明のシンボル画像生成装置は、伝票の各項目に記載するための複数の記載事項をコード化したシンボル画像を生成するシンボル画像生成装置において、項目別に、記載事項を取得するコンテンツ取得手段と、取得した記載事項に、項目毎に異なる識別子を付加する識別子付加手段と、取得した記載事項を、識別子と共にコード化して、シンボル画像を生成するシンボル画像生成手段と、を備えたことを特徴とする。
【０００７】
また、本発明のシンボル画像の生成方法は、伝票の各項目に記載するための複数の記載事項をコード化したシンボル画像の生成方法であって、項目別に、記載事項を取得するステップと、取得した記載事項に、項目毎に異なる識別子を付加するステップと、取得した記載事項を、識別子と共にコード化して、シンボル画像を生成するステップと、を実行することを特徴とする。
【０００８】
これらの構成によれば、伝票の各項目に記載するための記載事項（コンテンツ）を取得し、当該記載事項に、項目毎に異なる（各項目を特定するための）識別子を付加してコード化するため、ユーザは、項目別に記載事項を提供（入力）するだけで、容易にシンボル画像を生成することができる。また、この場合、少なくともシンボル画像の読み取り手段、シンボル画像のデコード手段、識別子の解読手段、並びに伝票への印刷手段を備えた装置を用いることで、各項目の記載事項が伝票の書式に合わせて適切な位置に印刷された伝票を生成することができ、ユーザは、伝票への手書き記入の手間を省くことができる。なお、「コンテンツ取得手段」および「記載事項を取得するステップ」は、キーボードやマウス等を用いてユーザが記載事項を入力又は指定することにより入力された記載事項を取得しても良いし、ネットワークを介したデータ受信や記録媒体の読み込みにより記載事項を取得するようにしても良い。また、この場合、記載事項を取得するための記録媒体としては、ＣＤ−ＲＯＭ、フラッシュＲＯＭ、メモリカード（コンパクトフラッシュ（登録商標）、スマートメディア、メモリスティック等）、コンパクトディスク、光磁気ディスク、デジタルバーサタイルディスクおよびフレキシブルディスク等を利用することができる。
【０００９】
上記のシンボル画像生成装置において、生成したシンボル画像を表示する表示画面をさらに備えていることが好ましい。
【００１０】
また、上記のシンボル画像の生成方法において、生成したシンボル画像を表示するステップをさらに実行することが好ましい。
【００１１】
これらの構成によれば、生成したシンボル画像を表示するため、ユーザはその表示されたシンボル画像をイメージリーダ等に読み取らせることにより、記載事項を再現する（テキストデータとして出力する）ことができる。
【００１２】
上記のシンボル画像生成装置において、生成したシンボル画像を、印刷媒体上に印刷するための印刷データを生成する印刷データ生成手段をさらに備えていることが好ましい。
【００１３】
また、上記のシンボル画像の生成方法において、生成したシンボル画像を、印刷媒体上に印刷するための印刷データを生成するステップをさらに実行することが好ましい。
【００１４】
これらの構成によれば、シンボル画像を、印刷媒体上に印刷するための印刷データを生成するため、ユーザはその印刷された印刷媒体をイメージリーダ等に読み取らせることにより、記載事項を再現する（テキストデータとして出力する）ことができる。
【００１５】
上記のシンボル画像生成装置において、伝票は、宅配物に貼付して用いる宅配伝票であり、コンテンツ取得手段は、少なくとも宅配物の配送先および／または配送元の、住所、氏名および電話番号の各項目への記載事項を取得することが好ましい。
【００１６】
また、上記のシンボル画像の生成方法において、伝票は、宅配物に貼付して用いる宅配伝票であり、記載事項を取得するステップでは、少なくとも宅配物の配送先および／または配送元の、住所、氏名および電話番号の各項目への記載事項を取得することが好ましい。
【００１７】
これらの構成によれば、宅配伝票に記載すべき配送先および／または配送元の、住所、氏名および電話番号等、項目別に記載事項を提供（入力）するだけで、容易にシンボル画像を生成することができる。また、当該シンボル画像を用いて、手書き入力が面倒な宅配伝票を迅速に生成することができる。
【００１８】
上記のシンボル画像生成装置において、レコード毎に、住所、氏名および電話番号を関連づけて記憶する住所録データベースをさらに備え、コンテンツ取得手段は、住所録データベースの中から任意のレコードが指定されることによって、配送先および／または配送元の住所、氏名および電話番号を取得することが好ましい。
【００１９】
また、上記のシンボル画像の生成方法において、記載事項を取得するステップでは、レコード毎に、住所、氏名および電話番号を関連づけて記憶する住所録データベースの中から任意のレコードが指定されることによって、配送先および／または配送元の住所、氏名、電話番号を取得することが好ましい。
【００２０】
これらの構成によれば、ユーザは、住所録データベースの中から任意のレコードが指定されるだけで、配送先および／または配送元の住所、氏名および電話番号に関する記載事項の入力、若しくは記録媒体等を用いた記載事項の提供を必要としないため、さらに容易にシンボル画像を生成することができる。
【００２１】
上記のシンボル画像生成装置において、コンテンツ取得手段は、配送先別に、宅配物の内容または品名に関する項目への記載事項を取得可能であることが好ましい。
【００２２】
また、上記のシンボル画像の生成方法において、記載事項を取得するステップでは、配送先別に、宅配物の内容または品名に関する項目への記載事項を取得することが好ましい。
【００２３】
これらの構成によれば、出力されたシンボル画像を用いることで、配送先や配送元に関する記載事項以外に、宅配物の内容または品名に関する記載事項を宅配伝票に印刷可能であるため、これらの項目の手書き入力の手間を省くことができる。
【００２４】
上記のシンボル画像生成装置において、配送先別に取得した宅配物の内容または品名の履歴である配送履歴を記憶する配送履歴記憶手段をさらに備え、表示画面は、配送履歴の一覧を表示することが好ましい。
【００２５】
また、上記のシンボル画像の生成方法において、配送先別に取得した宅配物の内容または品名の履歴である配送履歴を記憶するステップと、配送履歴の一覧を表示するステップと、をさらに実行することが好ましい。
【００２６】
これらの構成によれば、配送履歴を記憶し、その一覧を表示可能とすることにより、例えばお歳暮やお中元などの贈り物の配送管理に利用することができる。
【００２７】
本発明の携帯型情報処理装置は、上記のいずれか１項に記載のシンボル画像生成装置として機能することを特徴とする。
【００２８】
この構成によれば、携帯電話、ＰＨＳ（Personal Handy-phone System）、ＰＤＡ（Personal Digital Assistant）等の携帯型情報処理装置を用いて、より手軽にシンボル画像を生成することができる。
【００２９】
本発明の印刷システムは、上記のいずれか１項に記載のシンボル画像生成装置と、表示画面に表示、若しくは印刷媒体上に印刷されたシンボル画像を読み取る読み取り手段と、読み取り手段による読み取り結果をデコードするデコード手段と、デコード手段によるデコード結果に含まれる識別子を解読する解読手段と、解読手段の解読結果と、所定の伝票書式とに基づいて、デコード結果に含まれる各記載事項を伝票の各所定位置に印刷するための伝票印刷データを生成する伝票印刷データ生成手段と、伝票印刷データを伝票上に印刷する印刷手段と、を備えたことを特徴とする。
【００３０】
この構成によれば、上記に記載のシンボル画像生成装置で生成されたシンボル画像を読み取り、その読み取り結果をデコードしたデコード結果と、当該デコード結果に含まれる識別子の解読結果と、所定の伝票書式とに基づいて、各項目の記載事項が適切な位置に印刷された伝票を生成することができる。したがって、ユーザは、容易にシンボル画像を生成できると共に、伝票への手書き記入の手間を省くことができる。
【００３１】
本発明のプログラムは、コンピュータに、上記のいずれか１項に記載のシンボル画像の生成方法における各ステップを実行させるためのものであることを特徴とする。
【００３２】
この構成によれば、プログラムをコンピュータに実行させることで、伝票への印刷サービスを実現するためのシンボル画像を容易に生成することができる。
【発明を実施するための最良の形態】
【００３３】
以下、本発明の一実施形態に係るシンボル画像生成装置、携帯型情報処理装置、印刷システム、シンボル画像の生成方法およびプログラムについて、添付図面を参照しながら詳細に説明する。本発明は、伝票への印刷サービスを実現するためのシンボル画像の生成処理を、ユーザが容易に実行することを課題としたものである。そこで、以下、宅配伝票への印刷サービスを行う宅配伝票印刷システムに、本発明を適用した場合を例に挙げて説明する。
【００３４】
図１は、本発明の一実施形態に係る宅配伝票印刷システム１０のシステム構成図である。同図に示すように、本実施形態の宅配伝票印刷システム１０は、宅配伝票用紙Ｐ（宅配伝票）への印刷サービスを含む配送受付処理を行う配送受付端末２０と、宅配伝票用紙Ｐへの記載事項をコード化したシンボル画像Ｂを生成・表示する携帯電話５０と、によって構成されている。配送受付端末２０は、シンボル画像Ｂの読み取りの他、宅配伝票用紙Ｐに印刷するための印刷データの生成や編集を行うパーソナルコンピュータ３０（以下、「ＰＣ」と表記する）と、ＰＣ３０からの印刷指示により宅配伝票用紙Ｐへの印刷を行う印刷装置４０と、から成り、いずれも配送受付を担当するオペレータによって操作される。また、携帯電話５０は、配送依頼者（宅配伝票の作成依頼者）が保有するものであり、当該配送依頼者の依頼に基づいて、オペレータが宅配伝票作成のための操作を行う。
【００３５】
ＰＣ３０は、装置本体３１に、読み取ったシンボル画像Ｂのデコード結果等を表示するディスプレイ３２と、データ入力および編集のためのキーボード３３とを備え、コードを介してマウス３４およびイメージリーダ３５と接続されている。イメージリーダ３５は、把持部位を有する装置本体３６と、装置本体３６から突出形成された突き当て部材３７と、撮像対象物の撮像を指示する撮像ボタン３８と、を備え、突き当て部材３７の先端を、撮像対象物が表示または載置された対象物支持体に当接または近接させることによって撮像（画像の読み取り）を行う。本実施形態では、撮像対象物として、携帯電話５０の表示画面５２上に表示された２次元コード（例えばＱＲコード）等のシンボル画像Ｂを読み取る。
【００３６】
印刷装置４０は、サーマル方式で印刷を行うものであり、装置ケース４１上に、印刷済みの宅配伝票用紙Ｐを排出する排出口４２と、当該排出口４２に臨み、宅配伝票用紙Ｐを手動カットするための切断板４３と、を備え、ケーブル４５を介してＰＣ３０と接続されている。
【００３７】
宅配伝票用紙Ｐは、図８に示すように、長尺状の台紙Ｐａ上に所定サイズのサーマルラベルＬが等間隔で配置されたサーマル紙であり、巻回された状態で装置内部に収容されている。宅配伝票用紙Ｐの印刷は、１回の印刷指示によって、依頼主控用Ｌ１、受付店舗（配達局）控用Ｌ２および宅配物貼付用Ｌ３の３枚のラベルＬが連続して印刷される。そして、台紙Ｐａから宅配物貼付用のラベルＬ３が剥がされ、宅配物に貼付されることにより宅配伝票として利用される。
【００３８】
なお、ＰＣ３０が取得した記載事項をデータとして保存しておくなど、受付店舗控用のラベルＬ２を必要としない構成も考えられるが、そのような場合を考慮し、印刷装置４０には、受付店舗控用のラベルＬ２を発行（印刷）するか否かの切り替え機能が搭載されることが好ましい。また、印刷装置４０にレシート発行機能が搭載されている場合は、依頼主控用のラベルＬ１の発行に代えて、その内容が印刷されたレシートを発行する構成としても良い。これらの構成によれば、宅配伝票用紙Ｐの発行に要する時間を短縮することができる。
【００３９】
また、印刷装置４０は、サーマル紙に印刷を行う構成ではなく、依頼主控用、受付店舗（配達局）控用、宅配物貼付用など、複数枚の用紙が積層した複写式の宅配伝票用紙に印刷可能な構成としても良い。この場合は、複写用紙を一部ずつ手差し挿入できるよう、装置ケース４１上に、当該複写用紙を挿入する挿入口と印刷済みの複写用紙を排出する排出口とを備え、ワイヤドット方式で複写印刷を行うことが好ましい。この構成によれば、従来から利用されている複写式の宅配伝票用紙を用いることができる。また、サーマル紙および複写用紙の両方に印刷可能なハイブリッドタイプとしても良い。この場合は、いずれの印刷媒体を用いるか（またはその印刷方式）をユーザが指定できるように構成されることが好ましい。さらに、印刷方式は、サーマル方式に限らず、インクジェット方式など、伝票の種類に応じて変更可能である。
【００４０】
一方、携帯電話５０は、ユーザによるキー入力またはメモリカードＭ（記録媒体）からのデータ読み取りによって、宅配伝票用紙Ｐの各項目に記載する記載事項（コンテンツ）を取得し、これに基づいてシンボル画像Ｂを生成するものであり、装置本体５１上に、取得した記載事項、生成したシンボル画像Ｂの他、各種入力データやユーザへの操作指示を表示する表示画面５２と、宅配伝票用紙Ｐへの記載事項等、各種データを入力するためのキー群５３と、ＳＤカード等のメモリカードＭを挿入するメモリカードスロット５４と、を備えている。
【００４１】
また、携帯電話５０は、アドレス帳機能を実現するための住所録データベース５１１（図２参照）を、装置内部の記憶装置（記憶手段５１０，図２参照）に記憶しており、ユーザは、当該住所録データベース５１１の中から任意のレコードを指定して、宅配物の配送先および配送元となる情報（郵便番号、電話番号、住所、氏名等のデータ）を入力できるようになっている。携帯電話５０は、アドレス帳機能として、知人の住所や電話番号等の一覧を表示する「住所録メニュー」表示機能、並びに配送依頼者自身の情報を表示する「プロフィール」表示機能を有しており、例えば携帯電話５０の保有者（本人）が配送依頼を行う場合、「住所録メニュー」の中から任意のレコードを配送先として指定し、さらに「プロフィール」を配送元として指定するだけで、「配送先郵便番号」、「配送先電話番号」、「配送先住所」、「配送先氏名」、並びに「配送元郵便番号」、「配送元電話番号」、「配送元住所」、「配送元氏名」といった複数の項目（配送先印刷欄９１および配送元印刷欄９２に印刷すべき記載事項，図８参照）の入力を容易に行うことができる。したがって、「プロフィール」も、住所録データベース５１１の１レコードとして取り扱う。なお、これらの項目は、当然キー群５３を用いたテキスト入力によっても入力可能となっている。
【００４２】
また、キー群５３は、配送先や配送元以外の項目（例えば、宅配物の品名（内容）、配送形態（冷蔵配送等）、宅配物のサイズ（重量，大きさ等）、配送指定日時など宅配伝票用紙Ｐに記載すべき項目，図８参照）も入力可能となっており、携帯電話５０は、入力された全ての項目の情報に基づいてシンボル画像Ｂを生成する。そして、生成したシンボル画像Ｂを表示画面５２上に表示させて配送受付端末２０を操作するオペレータに提示すると、オペレータはこれをイメージリーダ３５で読み取る。
【００４３】
なお、このように携帯電話５０を用いる場合は、例えば携帯電話５０のオンラインサービスを利用して所定の携帯サイトからシンボル画像生成のためのアプリケーション（プログラム）をダウンロードすることで、容易にシンボル画像Ｂの生成を行うための機能を搭載することが可能である。言い換えれば、当該アプリケーションダウンロードしておき、そのアプリケーションによって提供される入力書式にしたがって、宅配伝票用紙Ｐの各項目の記載事項を入力していくことで、各項目を識別するための識別子（図５および図６参照）に関する情報を含むシンボル画像Ｂを容易に生成することができるようになっている。なお、当該アプリケーションに基づくシンボル画像Ｂの生成処理については、後述のフローチャート（図３参照）にて説明する。また、元々携帯電話５０にシンボル画像生成のためのプログラムが内蔵されている場合は、当然上記のアプリケーションをダウンロードする必要はない。
【００４４】
なお、携帯電話５０は、取得した記載事項に関するデータを、電子メール機能を用いて配送受付端末２０に予約送信しておき、当該配送受付端末２０に、予め宅配伝票用紙Ｐを印刷させておくことも可能である。この方法によれば、予約送信時に表示画面５２に表示される予約番号をオペレータに提示するだけで、印刷済みの宅配伝票用紙Ｐを受け取ることが可能であるため、宅配伝票の作成依頼をより迅速に行うことができる。なお、当該予約送信の操作についても、後述のフローチャート（図３参照）にて説明する。
【００４５】
次に、宅配伝票印刷システム１０の制御構成について、図２の機能ブロック図を参照して説明する。携帯電話５０は、記憶手段５１０、宅配伝票用紙Ｐへの記載事項に関するコンテンツを取得するコンテンツ取得手段５２０、取得した記載事項に項目別の識別子を付加する識別子付加手段５３０、識別子が付加された記載事項をコード化してシンボル画像Ｂを生成するシンボル画像生成手段５４０、シンボル画像Ｂを表示画面５２に表示する表示手段５５０、を備えている。
【００４６】
記憶手段５１０は、アドレス帳機能を実現するための住所録データベース５１１と、取得した記載事項（配送先氏名や宅配物の品名等）の履歴を、配送管理のために用いる配送履歴として記憶する配送履歴記憶手段５１２と、を有している。
【００４７】
住所録データベース５１１は、上記のとおり「住所録メニュー」表示機能や「プロフィール」表示機能を実現するためのデータベースであり、キー群５３を用いたデータ入力や、メモリカードＭからのデータ読み出しによって、レコードの追加や修正が可能となっている。
【００４８】
また、配送履歴記憶手段５１２は、取得した記載事項（ユーザが入力した入力データ）を配送履歴として記憶するものであり、当該配送履歴に基づいて、図９に示す配送履歴一覧を表示可能となっている。配送履歴一覧は、ユーザによる所定のキー操作によって表示画面５２上で閲覧できるようになっており、同図に示すように「配送区分」や「データ保存日時」の他、取得した記載事項の中から「配送先氏名」および「品名」の項目を抽出して表示する。なお、「配送区分」は、入力データの保存先として指定されたメモリ領域（フォルダ）を指すものであり、予めユーザが作成しておくものである。なお、当該メモリ領域が区別されていない場合、当該「配送区分」欄はNULL値となる。また、「データ保存日時」は、入力データの保存を指示した日時を指す。なお、配送履歴一覧に含める項目は、図９に示す項目だけでなく、ユーザが選択できるように構成しても良い。また、入力データの保存先は、携帯電話５０内部に含まれる記憶手段５１０ではなく、外部から挿入されるメモリカードＭとしても良い。
【００４９】
コンテンツ取得手段５２０は、キー群５３を用いたデータ入力やメモリカードスロット５４に装着されたメモリカードＭから、記載事項に関するコンテンツを取得するものである。また、配送先および／または配送元として住所録データベース５１１内の任意のレコードが指定された場合は、そのレコード内の郵便番号、電話番号、住所および氏名等のデータを取得する。
【００５０】
識別子付加手段５３０は、コンテンツ取得手段５２０によって取得した記載事項毎に、その記載事項を特定するための唯一性のある識別子を付加するものである。具体的には、図５に示すように、配送先の郵便番号は「Ａ１」、配送先の電話番号は「Ｂ１」といった記号（文字）をダブルコーテーションマークで囲んだ識別子を、それぞれの記載事項を表すデータの直前に付加する。例えば、郵便番号「１０１−００００」が記載事項として入力された場合、「“Ａ１”１０１−００００」のように、ハイフンを除いた７つの数字を、識別子「“Ａ１”」に続けて記憶する。なお、ハイフンを除くのは、後述する伝票書式データＤに、ハイフンが含まれているためである（図７参照）。
【００５１】
また、宅配伝票用紙Ｐ上にマークとして情報が表示されるもの（例えば「割れもの」、「生もの」、「冷蔵配送」、「冷凍配送」などを指定する配送形態の項目など，図８の宅配情報印刷欄９３参照）は、そのマーク位置を示す記号（数字）を、識別子に続けて記憶する。したがって、配送形態の項目については、例えば「生もの」および「冷蔵配送」の２つが指定される場合、「“Ｆ”２，３」のように、それぞれのマーク位置を示す数字がカンマで区切られて記憶される。また、配送指定日の項目については、日付を取得すると、「指定あり」であるとして、マーク位置を示す数字を省略し、４桁の数字で表される日付を「“Ｈ”１００１」として記憶する。なお、「指定なし」の場合は、マーク位置を示す数字を「“Ｈ”２」として記憶する。
【００５２】
なお、識別子の付加は、記載事項を表すデータの直前に限らず、直後であっても良い。すなわち、識別子と記載事項を表す情報とが何らかの関連づけが為された状態で、後述のシンボル画像Ｂが生成されれば良い。なお、識別子を付加した記載事項（以下、「識別子付き記載事項」と称する）、すなわちシンボル画像Ｂを生成するための情報は、ユーザによる所定のキー操作によって全て配送履歴記憶手段５１２に記憶しておくことができるようになっている。
【００５３】
図２の機能ブロック図の説明に戻る。シンボル画像生成手段５４０は、コンテンツ取得手段５２０によって取得した記載事項に、識別子付加手段５３０によって識別子を付加した識別子付き記載事項に基づいて、シンボル画像Ｂを生成するものである。したがって、図５に示す識別子“Ａ１”〜“Ｋ”に対応する全ての項目を記載事項として取得すると、各記載事項に識別子”“Ａ１”〜“Ｋ”を付加した全ての識別子付き記載事項を、一括してコード化し（エンコードし）、シンボル画像Ｂを生成する。但し、識別子“Ｋ”の「宅配料金」については、ユーザによる入力は為されず、その他の項目の入力内容に基づいて、宅配料金を自動算出し、その算出結果を項目「宅配料金」の記載事項として取得する。これにより、ユーザは宅配料金を調べる手間を省くことができる。なお、宅配料金の算出に必要な項目（本実施形態の場合、配送元、配送先、宅配物のサイズ、および支払い先の項目）の記載事項が取得できない場合（ユーザによる入力が為されない場合）は、当該宅配料金の算出処理を省略し、シンボル画像Ｂに「宅配料金」に関する情報を含めない。
【００５４】
表示手段５５０は、生成したシンボル画像Ｂ、並びに配送履歴記憶手段５１２に記憶されている配送履歴に基づく配送履歴一覧（図９参照）等を表示画面５２上に表示するものである。配送履歴一覧の表示は、表示画面５２上でカーソルキー等によりスクロール表示可能としても良いし、「配送区分」の中から１つの項目を指定して、その項目に含まれる内容のみを表示するようにしても良い。
【００５５】
一方、配送受付端末２０は、ＰＣ３０内に、読み取り手段３１０、デコード手段３２０、記憶手段３３０、解読手段３４０、伝票印刷データ生成手段３５０および表示手段３６０を備え、印刷装置４０内に印刷手段４１０を備えている。
【００５６】
読み取り手段３１０は、携帯電話５０の表示画面５２上に表示されたシンボル画像Ｂを読み取るものであり、その主要部はイメージリーダ３５（図１参照）で構成されている。また、デコード手段３２０は、イメージリーダ３５で読み取ったシンボル画像Ｂの画像データをデコードするものであり、具体的には「“Ａ１”１０１−００００」のように、識別子付き記載事項をテキストデータ化するものである。なお、イメージリーダ３５がデコーダを内蔵している場合、当該デコード手段３２０はイメージリーダ３５によって実現される。
【００５７】
記憶手段３３０は、デコード手段３２０でデコードしたデコード結果に含まれる識別子を解読（識別）するための識別情報を記憶する識別情報記憶手段３３１と、宅配伝票の伝票書式を記憶する伝票書式記憶手段３３２と、を有している。識別情報とは、図６に示すように、複数の識別子と、各識別子に対応する項目とを関連づけて記憶したテーブルを指すものであり、後述する解読手段３４０が、「“Ａ１”」を検出したとき、これに続くデータを「配送先郵便番号」として認識するための情報である。
【００５８】
また、伝票書式記憶手段３３２は、図６に示すように、伝票書式として、各項目の印刷位置を記憶すると共に、図７に示すように、各欄Ｄ９１〜Ｄ９５の枠、欄名、マーク位置に続けて記載される選択肢等を印刷するための伝票書式データＤ（伝票フォーマット）を記憶している（同図は、依頼主控用ラベルＬ１の伝票書式データＤを例示している）。印刷位置は、項目毎に、印刷開始位置、改行位置、印刷終了位置およびマーク位置のいずれか、若しくは２以上の情報が記憶されており、伝票書式データＤと対応して、各項目の記載事項が、それぞれ適切な印刷欄および位置（印刷領域）に印刷されるようになっている。なお、伝票書式記憶手段３３２は、本システム１０を利用する配送業者が取り扱う宅配伝票用紙Ｐの種類が複数存在する場合、複数の伝票書式を記憶する。また、伝票書式としては、各記載事項の文字サイズや文字種類、さらに文字色（カラー印刷の場合）に関する情報も記憶している。また、本実施形態では、空白ラベルＬ上に印刷欄や選択肢等も含めて印刷するため、これらを印刷するための伝票書式データＤを記憶しているが、伝票書式データＤがプリプリントされたラベル上に印刷を行う場合は、当該伝票書式データＤを記憶させておく必要はない。
【００５９】
解読手段３４０は、識別情報記憶手段３３１に記憶している識別情報に基づいて、デコード手段３２０でデコードしたデコード結果に含まれる識別子を解読するものである。また、伝票印刷データ生成手段３５０は、解読手段３４０の解読結果と、伝票書式記憶手段３３２に記憶されている伝票書式（各項目の印刷位置や伝票書式データＤ）に基づいて、印刷データを生成するものである。
【００６０】
表示手段３６０は、ディスプレイ３２上に、宅配伝票の印刷プレビュー（印刷済み宅配伝票用紙Ｐの状態，図８参照）等を表示するものである。なお、図２内には記載を省略したが、オペレータ又は配送依頼者（携帯電話５０の保有者）が印刷プレビューを確認した際に、記載事項の修正が必要と判断した場合は、キーボード３３やマウス３４を用いて適宜編集ができるようになっている。したがって、表示手段３６０は、その編集操作や編集後のデータを確認するためにも用いられる。
【００６１】
印刷手段４１０は、巻回された状態の宅配伝票用紙Ｐを収容する用紙収容部４１１と、宅配伝票用紙Ｐを用紙収容部４１１から繰り出し、排出口４２（図１参照）に向けて搬送する搬送手段４１２と、サーマル方式の印刷ヘッド４１３と、を有している。そして、搬送手段４１２による宅配伝票用紙Ｐの搬送に同期して印刷ヘッド４１３を駆動して印刷を行い、さらに印刷終了後、印刷終了位置が排出口４２に到達するまで（図８の印刷結果例の場合、宅配物貼付用のラベルＬ３の後端が装置外部に繰り出されるまで）宅配伝票用紙Ｐを搬送することで印刷処理を終了する。
【００６２】
次に、図３のフローチャートを参照し、携帯電話５０における伝票作成依頼処理（シンボル画像Ｂの表示処理、入力データの保存処理並びに配送依頼予約処理）について説明する。まず、ユーザによる所定のキー操作により、通常の電話として使用される通常モードから、伝票作成依頼モードにモード移行する（Ｓ０１）。続いて、宅配伝票の種類を選択する（Ｓ０２）。ここでは、宅配伝票印刷システム１０で利用可能な複数種類の宅配伝票名（例えば、元払い用、着払い用、海外配送用など）の選択肢を表示画面５２上に表示し、ユーザのキー操作によりいずれかの選択肢が選択可能となっている。なお、宅配伝票の種類が１種類のみであるときは、当該ステップ（Ｓ０２）を省略しても良い。また、宅配伝票印刷システム１０で複数の配送業者の宅配伝票が作成可能である場合は、まず配送業者を指定し、その後伝票種類を選択するといったステップを経ることが好ましい。
【００６３】
続いて、所定の画面表示を行い、宅配伝票用紙Ｐへの記載事項に関するコンテンツを順次取得していく（Ｓ０３）。例えば、配送先に関する情報（配送先印刷欄９１（図８参照）に印刷する記載事項）から取得する場合、まず、表示画面５２上に「配送先を指定してください」といったメッセージの他、「住所録データベースから指定する」又は「キー入力する」の選択肢を表示し、ユーザにより「住所録データベースから指定する」が選択された場合は、「アドレス帳表示」機能によりアドレス帳を表示する。さらに、その中から１のレコードが指定されると、そのレコードに含まれる郵便番号、電話番号、住所および氏名に関する情報を、「配送先郵便番号」、「配送先電話番号」、「配送先住所」および「配送先氏名」の項目として取得する。一方、「キー入力する」が選択された場合は、「配送先郵便番号」、「配送先電話番号」、「配送先住所」および「配送先氏名」の項目毎に、画面表示により入力を促すメッセージを表示する。この後、同様にして配送元に関する情報（配送元印刷欄９２に印刷する記載事項）を取得し、さらに宅配情報印刷欄９３および決済内容印刷欄９４に印刷する記載事項を取得する。取得した記載事項には、記載事項毎に異なる識別子を付加してワークエリア（ＲＡＭ）等に格納しておき、シンボル画像生成の際（Ｓ０５）に利用する。なお、決済内容印刷欄９４に印刷される「宅配料金」については、ユーザによる入力は不要となっており、その他の項目の入力が全て終了した時点で、自動的に宅配料金を算出し、当該算出結果に識別子“Ｋ”を付加したものを記載事項として取得する（図５参照）。また、ここで入力が省略された項目については、その項目の情報がシンボル画像Ｂに含まれないこととなるため、宅配伝票印刷時においてその記載事項は印刷されない（空欄となる）。
【００６４】
このようにして、識別子“Ａ１”〜“Ｋ”に対応するコンテンツ（記載事項）の取得を終了すると（Ｓ０４：Ｙｅｓ）、ワークエリアから識別子付き記載事項を読み出し、それら１以上の識別子付き記載事項に基づいてシンボル画像Ｂを生成する（Ｓ０５）。続いて生成したシンボル画像Ｂを表示画面５２上に表示する（Ｓ０６）。ユーザは、この表示画面５２上に表示されたシンボル画像Ｂを、配送受付端末２０を操作するオペレータに提示し、イメージリーダ３５で撮像させることにより、宅配伝票の作成処理を開始させることができるが、シンボル画像Ｂの生成後、すぐに利用しない場合は、取得した記載事項（入力データ）を保存させておく必要がある。
【００６５】
そこで、シンボル画像Ｂを表示する画面５２上に、入力データの保存を指示するための「保存」ボタンを表示し、ユーザがその「保存」ボタンを選択した場合は（Ｓ０７：Ｙｅｓ）、保存先を問い合わせるメッセージを表示し、保存先が指定されると（Ｓ０８）、その保存先に入力データを保存する（Ｓ０９）。なお、この「保存先」とは、「配送区分」（図９参照）に相当するメモリ領域を指すものであり、当該ステップ（Ｓ０９）で保存されたデータに基づいて、図９に示す配送履歴一覧を生成・記憶する。また、配送履歴を表示し、任意のレコードが指定された場合は、そのレコードの配送履歴に基づいて、シンボル画像Ｂを生成することが可能となっている。したがって、配送履歴としては、限られた項目しか表示しないが、Ｓ０９にて保存するデータは取得した全てのデータ（識別子付き記載事項）である。
【００６６】
なお、入力データの保存が指定されなかった場合は（Ｓ０７）、入力データを保存することなく、シンボル画像Ｂを画面５２上に表示したままの状態となる。したがって、ユーザは、宅配伝票作成依頼モードから通常モードに移行するための操作を行わない限り、画面５２上にシンボル画像Ｂを表示させておくことができる。但し、宅配伝票作成依頼モードにおいても、電話の受信並びに電子メールの受信は可能であるため、これらの機能に支障をきたすことはない。
【００６７】
ところで、シンボル画像Ｂを表示する画面５２上には、上記の「保存」ボタンの他、予約送信を行うための「予約」ボタンを表示している（したがって、Ｓ０７〜Ｓ０９とＳ１０〜Ｓ１２の工程が入れ替わる場合もある）。この「予約」ボタンが選択された場合は（Ｓ１０：Ｙｅｓ）、携帯電話５０の電子メール機能を用いて、取得した入力データを配送受付端末２０に送信し、宅配伝票の印刷を予約しておくことができるようになっている。したがって、ここで「予約」ボタンが選択されると（Ｓ１０：Ｙｅｓ）、携帯電話５０に搭載されているＧＰＳ機能を利用して、携帯電話５０を操作しているユーザから最も近い店舗（配送受付端末２０）を検索し、その店舗に取得した入力データを送信する（Ｓ１１）。
【００６８】
さらに、表示画面５２上には、予約送信を行った店舗名と予約番号を表示し（Ｓ１２）、終了キーの押下等により処理を終了する。このように、予約送信を行っておくと、ユーザはその店舗に赴き、予約番号を伝えることですぐに宅配伝票を受け取ることが可能となる。また、入力データを保存しておけば、予約番号を忘れてしまった場合でも、その入力データを呼び出してシンボル画像Ｂを再度表示し、宅配伝票の作成依頼を行うことが可能である。このように、本例によれば、入力データを保存して、さらにそれを呼び出してシンボル画像Ｂを表示させることができるため、予め時間のあるときにコンテンツの入力操作を行っておくことができる。また、より急いでいる場合は、予約送信をしておくことで、迅速に宅配伝票を受け取ることが可能となる。
【００６９】
なお、店舗名と共に、その店舗の連絡先（電話番号）や地図を併せて表示することが好ましい。また、携帯電話５０にＧＰＳ機能が搭載されていない場合は、予約送信を行う店舗名を一覧表示し、その中からユーザが選択できるように構成することが好ましい。
【００７０】
次に、図４のフローチャートを参照し、配送受付端末２０における宅配伝票の作成処理について説明する。ここでは、予約送信が行われていない場合について説明する。まず、携帯電話５０の保有者によるシンボル画像Ｂの提示により、イメージリーダ３５を用いて、携帯電話５０の表示画面５２上に表示されたシンボル画像Ｂを読み取る（Ｓ２１）。続いて、イメージリーダ３５の読み取り結果である読み取りデータをデコードし（Ｓ２２）、そのデコード結果の中に含まれる識別子（ダブルコーテーションマークに囲まれた記号）を、識別情報記憶手段３３１（図２参照）に記憶している識別情報（図６参照）に基づいて解読する（Ｓ２３）。
【００７１】
さらにその解読結果を、伝票書式記憶手段（図２参照）に記憶している伝票書式（各項目の印刷位置（図６参照）や伝票書式データＤ（図７参照））にしたがって展開し、ディスプレイ３２上に表示するための表示データ（印刷プレビューデータ）、並びに宅配伝票用紙Ｐ上に印刷するための印刷データを生成する（Ｓ２４）。このとき、宅配伝票用紙Ｐ上に印刷するための伝票番号（図８の伝票番号印刷欄９５参照）を自動生成し、当該伝票番号を所定位置に配置させて、印刷データを生成する。
【００７２】
ここで、表示データに基づいて印刷プレビューの画面表示を行い（Ｓ２５）、オペレータにより宅配物のサイズ（宅配情報印刷欄９３）や宅配料金（決済内容印刷欄９４）の記載内容が適切であるか否かが確認される（Ｓ２６）。ここで、これらの情報が不適切であるとオペレータが判断した場合は、オペレータのキー入力にしたがってデータ編集を行い（Ｓ２７）、オペレータの印刷指示にしたがって（Ｓ２８：Ｙｅｓ）、印刷処理を行う（Ｓ２９）。また、オペレータによるデータ編集の操作が為されない場合（例えば、確認ＯＫを意味するエンターキーが押下された場合）は（Ｓ２６：Ｙｅｓ）、印刷指示（Ｓ２８：Ｙｅｓ）を待って、印刷処理を行う（Ｓ２９）。
【００７３】
次に、図８を参照し、上記の印刷処理によって作成された宅配伝票用紙Ｐの印刷結果について説明する。上記のとおり、本実施形態では、台紙Ｐａ上に等間隔で配置された空白ラベルに、図７に示す伝票書式データＤと、図６に示す印刷位置にしたがって配置された各記載事項とを重畳して伝票印刷データを生成し、図８に示すような印刷結果を得ることができる。
【００７４】
具体的には、「配送先郵便番号」、「配送先電話番号」、「配送先住所」および「配送先氏名」の項目の記載事項を、配送先印刷欄９１の各所定位置（図６に示す印刷位置によって規定される印刷範囲）に印刷し、「配送元郵便番号」、「配送元電話番号」、「配送元住所」および「配送元氏名」の項目の記載事項を、配送元印刷欄９２の各所定位置に印刷する。また、「品名」、「配送形態」、「サイズ」、「配送指定日」および「配送指定時間」の項目の記載事項を、宅配情報印刷欄９３の各所定位置に印刷し、「支払い先」および「宅配料金」の項目の記載事項を、決済内容印刷欄９４の各所定位置に印刷する。さらに、宅配伝票用紙Ｐの印刷データ作成時に自動作成された伝票番号を、伝票番号印刷欄９５に印刷し、その伝票番号をコード化したバーコードを、バーコード印刷欄９６に印刷する。
【００７５】
以上、説明したとおり、本発明によれば、携帯電話５０に宅配伝票用紙Ｐの各項目に記載するための記載事項（コンテンツ）を入力するだけで、当該記載事項に、項目毎に異なる（各項目を特定するための）識別子を付加してコード化したシンボル画像Ｂを容易に生成・表示させることができる。また、このシンボル画像Ｂを配送受付端末２０のイメージリーダ３５に読み取らせることで、各項目の記載事項が宅配伝票用紙Ｐの書式に合わせて適切な位置に印刷された宅配伝票を作成することができ、ユーザは、宅配伝票用紙Ｐへの手書き記入の手間を省くことができる。また、配送先および配送元の住所、氏名および電話番号に関する記載事項の入力は、住所録データベース５１１（図２参照）の中の任意のレコードの指定に代えることができるため、さらに容易にシンボル画像Ｂを生成することができる。
【００７６】
また、携帯電話５０では、シンボル画像Ｂを生成するために入力した入力データを保存し、これを読み出して表示画面５２上に、配送履歴の一覧（図９参照）を表示することができるため、例えばお歳暮やお中元などの贈り物の配送管理に利用することができる。
【００７７】
なお、上記では、コンテンツ取得手段５２０（図２参照）による記載事項の取得は、ユーザによるキー入力又はメモリカードＭからのデータ読み取りによって行うものとしたが、保存しておいた入力データを呼び出し、適宜修正を加えて、シンボル画像Ｂを生成できるようにしても良い。この構成によれば、例えば前回と同じ配送先に宅配物だけを変えて配送するといった場合、前回の保存データを呼び出し、宅配物の品名のみを変更するだけで、容易にシンボル画像Ｂを生成することができる。
【００７８】
また、上記では、１つのシンボル画像Ｂに、宅配伝票用紙Ｐに印刷する全ての記載事項に関する情報（識別子付き記載事項）を含めるものとしたが、配送先に関する情報のみを含めたシンボル画像、配送元に関する情報のみを含めたシンボル画像、といったように複数のシンボル画像Ｂに情報を分割し、イメージリーダ３５に複数回読み取らせることで、宅配伝票の印刷を行うようにしても良い。この構成によれば、上記のように同じ配送先に配送を行うような場合、前回生成した配送先に関する情報に基づくシンボル画像Ｂを読み出し、全く編集せずにそのまま利用することが可能となる。
【００７９】
また、上記では、農産物の臨時販売所など、配送受付端末２０を極力簡易な構成とするべく、ＰＣ３０と印刷装置４０とで構成される場合を例示したが（図１参照）、ＰＣ３０に代えてＰＯＳ端末（レジ端末）を用いても良い。また、ＰＣ３０と印刷装置４０とを同一の装置で構成するようにしても良い。さらに、ＰＣ３０が取得した宅配伝票用紙Ｐへの記載事項に関するデータを、インターネット等のネットワークを介して配送業者のサーバシステムに送信し、配送管理に利用できるようにシステム構築することも可能である。
【００８０】
また、上記では、携帯電話５０の表示画面５２上に表示されたシンボル画像Ｂをイメージリーダ３５によって読み取るものとしたが、印刷出力されたシンボル画像Ｂを読み取るようにしても良い。この場合、配送依頼者は、自身のパーソナルコンピュータ等を用いて、シンボル画像Ｂを生成し、プリンタで印刷出力しておく必要がある。この場合も、上記の携帯電話５０使用の場合と同様に、シンボル画像Ｂ生成のための所定のアプリケーションをＷｅｂ等からダウンロードし、そのアプリケーションによって提供される入力書式にしたがって、各項目を入力していくことで、シンボル画像Ｂを生成することが可能である。
【００８１】
また、携帯電話５０に代えて、ＰＨＳ（Personal Handy-phone System）や、ＰＤＡ（Personal Digital Assistant）など、携帯可能な情報端末（携帯型情報装置）のディスプレイ上にシンボル画像Ｂを表示させるようにしても良い。すなわち、シンボル画像Ｂを表示（出力）可能な情報端末であれば、本発明を適用可能である。また、シンボル画像Ｂとしては、図示したＱＲコード以外にも、Ｍａｘｉコード、Ｖｅｒｉコード、データマトリクス、ＰＤＦ４１７等の２次元コードを利用可能である。
【００８２】
また、上記の例に示した、配送受付端末２０や携帯電話５０の各部（各機能）、並びにシンボル画像Ｂ生成のための所定のアプリケーションをプログラムとして提供することも可能である。また、そのプログラムを記録媒体（図示省略）に格納して提供することも可能である。記録媒体としては、ＣＤ−ＲＯＭ、フラッシュＲＯＭ、メモリカード（コンパクトフラッシュ（登録商標）、スマートメディア、メモリスティック等）、コンパクトディスク、光磁気ディスク、デジタルバーサタイルディスクおよびフレキシブルディスク、ハードディスク等を利用可能である。
【００８３】
また、シンボル画像Ｂ生成のための所定のアプリケーションを宛名書きソフトに組み込んで提供することも可能である。この構成によれば、お中元やお歳暮等の贈答品の配送管理を、年賀状等の書簡（郵送物）の管理と一元的に行うことができる。
【００８４】
また、上記の実施形態における宅配伝票印刷システム１０の例によらず、システム構成や装置構成、伝票の構成等について、本発明の要旨を逸脱しない範囲で、適宜変更も可能である。
【図面の簡単な説明】
【００８５】
【図１】本発明の一実施形態に係る宅配伝票印刷システムのシステム構成図である。
【図２】宅配伝票印刷システムの機能ブロック図である。
【図３】携帯電話の宅配伝票作成依頼処理を示すフローチャートである。
【図４】配送受付端末の宅配伝票作成処理を示すフローチャートである。
【図５】識別子と、これと関連づけられたコンテンツの一例を示す図である。
【図６】識別情報と、伝票書式（各コンテンツの印刷位置）を説明するための図である。
【図７】伝票書式データの一例を示す図である。
【図８】宅配伝票用紙の印刷結果例を示す図である。
【図９】配送履歴一覧の一例を示す図である。
【符号の説明】
【００８６】
１０  宅配伝票印刷システム      ２０  配送受付端末
３０  ＰＣ                      ３５  イメージリーダ
４０  印刷装置                  ５０  携帯電話
５２  表示画面                  ５３  キー群
５４  メモリカードスロット    ３１０  読み取り手段
３２０  デコード手段            ３３０  記憶手段（ＰＣ）
３４０  解読手段                ３５０  伝票印刷データ生成手段
４１０  印刷手段                ５１０  記憶手段（携帯電話）
５１１  住所録データベース      ５１２  配送履歴記憶手段
５２０  コンテンツ取得手段      ５３０  識別子付加手段
５４０  シンボル画像生成手段    ５５０  表示手段
Ｂ  シンボル画像                Ｌ  サーマルラベル
Ｍ  メモリカード                Ｐ  宅配伝票
【図１】
2006227685.tif 000003
【図２】
2006227685.tif 000004
【図３】
2006227685.tif 000005
【図４】
2006227685.tif 000006
【図５】
2006227685.tif 000007
【図６】
2006227685.tif 000008
【図７】
2006227685.tif 000009
【図８】
2006227685.tif 000010
【図９】
2006227685.tif 000011